(57)【要約】【課題】施工費などのコストが抑えられ、且つ居室などを適切な換気環境とすることが可能な換気システムを提供することにある。【解決手段】全館空調・換気システムは、複数の空間に仕切られた建物内を空調・換気するシステムであって、給気機能付き空気調和装置１１，１３と、玄関ドアの換気装置と、コントローラ５０とを備えている。空気調和装置１１，１３は、複数の空間に設けられ、建物の外部からの給気を行う。玄関ドアに組み込まれている換気装置は、玄関ドアの一方の側から反対側へと空気を流して排気を行う。コントローラ５０は、空気調和装置１１，１３と玄関ドアの換気装置とを連動制御する。【選択図】        図３
2005003321.tif 000002
【特許請求の範囲】
【請求項１】
複数の空間（Ｓ１〜Ｓ７）に仕切られた建物内を換気する換気システムであって、
１又は複数の前記空間に設けられ、前記建物の外部からの給気および前記建物の外部への排気の少なくとも一方を行う第１換気装置（１１〜１３，１１１〜１１５）と、
前記建物のドア（２０，７０，１２０，３２０，４２０）又は窓（１６０）に組み込まれ、前記ドア又は窓の一方の側から反対側へと空気を流す換気機能を有する第２換気装置（２２，７２，１２２，１６２，３２２，４２２）と、
前記第１換気装置と前記第２換気装置とを連動制御する連動制御装置（５０，１５０）と、
を備えた換気システム。
【請求項２】
前記建物内の温度および湿度の少なくとも一方を測定する第１センサ（１４４）と、
前記建物外の温度および湿度の少なくとも一方を測定する第２センサ（１４８）と、
をさらに備え、
前記連動制御装置は、前記建物内および前記建物外の温度、湿度、あるいはエンタルピの比較を基にして前記第１換気装置と前記第２換気装置とを連動制御する、
請求項１に記載の換気システム。
【請求項３】
前記第１換気装置が設けられている前記空間における人の有無を検知する人検知センサ（１１１ａ，１１３ａ，１１９ａ）をさらに備え、
前記連動制御装置は、前記人検知センサの検知結果に基づき前記第１換気装置（１１１，１１２，１１３）の作動を制御するとともに、その前記第１換気装置の作動に連動させて前記第２換気装置（１２２）を制御する、
請求項１又は２に記載の換気システム。
【請求項４】
前記第２換気装置（１２２）とともに前記建物のドア又は窓に組み込まれ、前記建物内の空気を清浄化する空気清浄装置（１３９）をさらに備える、
請求項１から３のいずれかに記載の換気システム。
【請求項５】
前記空気清浄装置（１３９）は、前記空気清浄装置が組み込まれるドア又は窓が開いたときに、空気の清浄化を停止する、
請求項４に記載の換気システム。
【請求項６】
前記第２換気装置（１２２）とともに前記建物のドア又は窓に組み込まれ、前記建物内の空気を調和する空気調和装置（１３８）をさらに備える、
請求項１から５のいずれかに記載の換気システム。
【請求項７】
前記第１換気装置（１１，１３，１１１，１１３）は、前記建物内の空気を調和する空気調和装置と一体である、
請求項１から６のいずれかに記載の換気システム。
【請求項８】
前記第１換気装置は、前記建物の外部からの給気および前記建物の外部への排気の両方を行い、且つ前記給気の空気と前記排気の空気との間で熱交換を行わせる全熱交換器である、
請求項１から６のいずれかに記載の換気システム。
【請求項９】
前記連動制御装置（５０）は、前記建物のドア又は窓の開閉に基づき前記第１換気装置（１１〜１３）の制御を変える、
請求項１から８のいずれかに記載の換気システム。
【請求項１０】
前記第１換気装置（１１１〜１１３）は、前記建物内の居室の空間（Ｓ１〜Ｓ３）に設けられ、
前記第２換気装置（１２２）は、前記建物の玄関ドア（１２０）に組み込まれ、
前記連動制御装置（１５０）は、前記第２換気装置によって前記建物の外部から前記玄関ドアを介して前記建物の内部へと空気を流して給気を行わせ、前記第１換気装置によって前記居室から前記建物の外部への排気を行わせる、
請求項１から９のいずれかに記載の換気システム。
【請求項１１】
前記第１換気装置（１１〜１３）は、前記建物内の居室の空間（Ｓ１〜Ｓ３）に設けられ、
前記第２換気装置（２２）は、前記建物の玄関ドア（２０）に組み込まれ、
前記連動制御装置（５０）は、前記第１換気装置によって前記建物の外部から前記居室への給気を行わせ、前記第２換気装置によって前記建物の玄関付近の空間から前記玄関ドアを介して前記建物の外部へと空気を流して排気を行わせる、請求項１から９のいずれかに記載の換気システム。
【請求項１２】
前記連動制御装置（５０）は、前記玄関ドア（２０）が開いたときに、前記第１換気装置（１１〜１３）による前記建物の外部から前記居室への給気の量を増やす制御を行う、
請求項１１に記載の換気システム。
【請求項１３】
前記第１換気装置は、前記建物内の台所の空間（Ｓ４）に設けられ、前記建物の外部への排気を行う換気扇（１１４）であり、
前記連動制御装置は、前記第１換気装置による排気を行うときに、前記第２換気装置によって前記建物の外部から前記建物の内部へと空気を流して給気を行わせる、
請求項１から９のいずれかに記載の換気システム。
【請求項１４】
前記第２換気装置（２２）は、前記ドア又は窓の一方の側と反対側とを結ぶ換気経路（Ｒ）と、前記換気経路に空気の流れを生成させるファン（３１）と、前記換気経路の開閉を行う開閉部材（３３）とを有しており、
前記開閉部材による前記換気経路の開閉は、前記ドア又は窓の開閉に基づき制御される、
請求項１から１３のいずれかに記載の換気システム。
【請求項１５】
前記ドア又は窓と一体化され、前記建物の内部および外部の少なくとも一方の空気の状態に関する表示を行う表示装置（２３，７３，１２３，３２３）をさらに備える、
請求項１から１４のいずれかに記載の換気システム。
【請求項１６】
前記ドア又は窓と一体化され、前記建物の内部および外部の少なくとも一方の空気質を検知する空気質センサ（４３，４７，１４３，１４７）をさらに備え、前記表示装置は、前記空気質センサの検知結果に基づいた前記建物の内部および外部の少なくとも一方の空気質に関する情報を表示する、
請求項１５に記載の換気システム。
【請求項１７】
前記表示装置は、通信ネットワーク（９０）を介して入手された外部情報に基づいた表示を行う、
請求項１５又は１６に記載の換気システム。
【請求項１８】
前記第２換気装置は、前記建物の玄関ドアに組み込まれ、
前記表示装置は、少なくとも前記玄関ドアの内側から視認可能であり、気象情報、交通情報、花粉情報、および光化学オキシダント情報のうち少なくとも１つを含む外出時に有用な情報を表示する、
請求項１７に記載の換気システム。
【請求項１９】
前記表示装置は、前記建物に敷設されている電化機器ネットワーク（１８０）に接続されており、前記電化機器ネットワークにつながる機器の稼働状況を表示する、
請求項１５から１８のいずれかに記載の換気システム。
【請求項２０】
前記表示装置は、前記電化機器ネットワークにつながる機器を一括してＯＮ／ＯＦＦ操作する操作入力機能を有している、
請求項１９に記載の換気システム。
【請求項２１】
前記連動制御装置は、通信ネットワーク（９０）を介して入手された外部情報に基づいて、前記第１換気装置と前記第２換気装置とを連動制御する
請求項１から２０のいずれかに記載の換気システム。
【請求項２２】
前記第２換気装置は、前記ドア又は窓に対して着脱可能に装着される、請求項１から２１のいずれかに記載の換気システム。
【請求項２３】
前記ドア又は窓は、前記建物の内部と外部とを仕切っており、
前記ドア又は窓と一体化され、前記ドア又は窓が開けられたときに所定方向に空気を吹き出す空気吹出装置（３２２）をさらに備える、
請求項１から２２のいずれかに記載の換気システム。
【請求項２４】
前記空気吹出装置は、前記所定方向に脱臭成分を含む空気を吹き出す、
請求項２３に記載の換気システム。
【請求項２５】
前記ドア又は窓は、前記建物の内部と外部とを仕切っており、
前記ドア又は窓から延びる吸引ノズル（４２２ａ）をさらに備える、
請求項１から２２のいずれかに記載の換気システム。
【請求項２６】
前記ドア又は窓に設けられ開閉時に用いられる把手（４１，４５）と、
前記把手への接触を検知する接触検知センサ（４２，４６）と、
をさらに備えた請求項１から２５のいずれかに記載の換気システム。
【請求項２７】
前記人検知センサの検知結果に基づき前記建物の防犯を行う防犯装置（１８０ａ）をさらに備える、
請求項３に記載の換気システム。
【発明の詳細な説明】
【０００１】
【発明の属する技術分野】
本発明は、換気システム、特に、複数の空間に仕切られた建物内を換気する換気システムなどに関する。
【０００２】
【従来の技術】
近年、住宅が高気密・高断熱化されてきており、それに伴い住宅内を換気する換気システムの必要性も増してきている。高気密・高断熱住宅は、高品質なものほど自然換気が行われないため、計画的な機械換気が必要である。
これを受けて、例えば、全熱交換器を通して居室へ給気して、浴室やトイレなどから全熱交換器を通して排気することで、住宅内のすみずみにまで新鮮な空気を送るとともに住宅内の快適性の悪化を抑える換気システムが出現している。
【０００３】
また、特許文献１には、玄関ドアのサッシの上部に換気装置を配置して太陽電池で動かすものが開示されている。
【０００４】
【特許文献１】
特開昭６３−２４７４８６号公報
【０００５】
【発明が解決しようとする課題】
しかし、最近では、さらなる住宅内の快適性の向上が求められる一方、換気システムの導入コストをできるだけ抑えたいとする要望がある。
本発明の課題は、施工費などのコストが抑えられ、且つ居室などを適切な換気環境とすることが可能な換気システムを提供することにある。
【０００６】
【課題を解決するための手段】
請求項１に係る換気システムは、複数の空間に仕切られた建物内を換気する換気システムであって、第１換気装置と、第２換気装置と、連動制御装置とを備えている。第１換気装置は、１又は複数の空間に設けられ、建物の外部からの給気および建物の外部への排気の少なくとも一方を行う。第２換気装置は、建物のドア又は窓に組み込まれており、ドア又は窓の一方の側から反対側へと空気を流す換気機能を有する。連動制御装置は、第１換気装置と第２換気装置とを連動制御する。
【０００７】
ここでは、建物内の居室などの空間に設けられる第１換気装置の他に、建物のドア又は窓に第２換気装置を組み込んでいる。このため、建物の壁や天井などに特別な工事を施すことなく建物にドアや窓を取り付けるだけで、第１換気装置に加えて第２換気装置を建物に配備することができることになる。そして、ここでは、これらの第１換気装置と第２換気装置とを連動させることで、建物内を換気している。
【０００８】
これにより、比較的小さな費用で建物内の換気状態を向上させることができる。また、第１換気装置に加えて第２換気装置を設け、且つそれらを連動させることで、居室などをより適切な換気環境とすることができるようになっている。
なお、第１換気装置としては、例えば、換気扇、換気機能付き空気調和装置、全熱交換器などが挙げられる。全熱交換器は、温度および湿度を合わせた空気中のエネルギーが建物外に逃げることを抑えつつ、建物内の空気を入れ換える設備であり、排気と導入外気とを混合させずに顕熱と潜熱を同時に伝えることができる。また、第２換気装置が組み込まれるドアは、建物内外を仕切る玄関ドアのほか、建物内の空間同士を仕切るドアであってもよい。
【０００９】
請求項２に係る換気システムは、請求項１に記載の換気システムであって、第１センサと、第２センサとをさらに備えている。第１センサは、建物内の温度および湿度の少なくとも一方を測定する。第２センサは、建物外の温度および湿度の少なくとも一方を測定する。また、連動制御装置は、建物内および建物外の温度、湿度、あるいはエンタルピの比較を基にして、第１換気装置と第２換気装置とを連動制御する。
【００１０】
ここでは、建物内外の空気の状態を第１および第２センサで測定するため、温度、湿度、あるいはエンタルピについて、建物内外で比較することができる。そして、連動制御装置は、この比較に基づいて、第１換気装置と第２換気装置とを連動制御している。これにより、例えば、建物内を冷房しているときに建物外がより涼しい状態であったり、建物内を暖房しているときに建物外がより暖かい状態であったりしたときに、換気により建物外の空気を建物内に取り込むようにして建物内の快適性を向上させることができる。このような、いわゆる外気冷房等により、エネルギー消費を抑えることも可能である。また、例えば、建物内を空調しているときであって空調負荷がピークに達しているようなときには換気量を減らし、その分を空調負荷の少ない時間帯に多く換気するといったことが可能になる。
【００１１】
請求項３に係る換気システムは、請求項１又は２に記載の換気システムであって、人検知センサをさらに備えている。この人検知センサは、第１換気装置が設けられている空間における人の有無を検知する。そして、連動制御装置は、人検知センサの検知結果に基づき第１換気装置の作動を制御するとともに、その第１換気装置の作動に連動させて第２換気装置を制御する。
【００１２】
ここでは、第１換気装置の設置空間で人の有無を検知し、その検知結果に基づき第１換気装置の作動を制御し、その第１換気装置の作動に連動させる形で第２換気装置を制御している。このため、まず第１換気装置の設置空間に人が居るときにはその空間が快適な換気状態となる。そして、さらには、第１換気装置に連動して第２換気装置が動くため、第１換気装置が作動したことによる悪影響が建物内の他の空間に発生することを第２換気装置の作動によって打ち消すことが可能となる。また、人が居ないときには換気量を削減して空調負荷の増加を抑え、省エネルギーに寄与することができる。
【００１３】
例えば、居室に人がいる場合にその居室の第１換気装置を動かして排気を行うと、居室内の人は快適な換気状態を享受することになる。しかし、そのために玄関の空間が負圧となって玄関ドアが開け難くなるという弊害が生じることがある。このような場合に、玄関ドアに設けた第２換気装置によって建物外から玄関の空間に対して給気を行えば、玄関ドアが開け難くなるという弊害の発生が抑えられる。
【００１４】
請求項４に係る換気システムは、請求項１から３のいずれかに記載の換気システムであって、空気清浄装置をさらに備えている。この空気清浄装置は、第２換気装置とともに建物のドア又は窓に組み込まれており、建物内の空気を清浄化する。空気清浄装置と第２換気装置とは、一体であってもよいし別体であってもよい。また、空気清浄装置は、建物内の空気を取り込んで清浄化し建物内に戻すものであってもよいし、建物外の空気を取り込んで清浄化し建物内に供給することで建物内の空気を清浄化するものであってもよい。
【００１５】
ここでは、第２換気装置とともに空気清浄装置を建物のドア又は窓に組み込んでいるため、より少ない換気量で建物内の空気質を向上させることができる。また、空気清浄装置を作動させることで、少ない換気量で所望の換気環境を得ることが可能になるため、換気による空調負荷の増加が抑えられ、省エネルギーに寄与することができる。
【００１６】
請求項５に係る換気システムは、請求項４に記載の換気システムであって、空気清浄装置は、その空気清浄装置が組み込まれるドア又は窓が開いたときに、空気の清浄化を停止する。
ドアや窓が開いたときに空気清浄装置を作動させても、建物内の空間と建物外の空間とがつながっている状態なので、建物内の空間の空気を清浄する作用が非常に小さくなる。この場合には、空気清浄装置の作動に要するエネルギーの多くが無駄になってしまうため、ここではドア又は窓が開いたときに空気清浄装置による空気の清浄化を停止させている。これにより、省エネルギー化が図られる。
【００１７】
請求項６に係る換気システムは、請求項１から５のいずれかに記載の換気システムであって、空気調和装置をさらに備えている。この空気調和装置は、第２換気装置とともに建物のドア又は窓に組み込まれており、建物内の空気を調和する。空気調和装置と第２換気装置とは、一体であってもよいし別体であってもよい。また、空気調和装置は、建物内の空気を取り込んで調和し建物内に戻すものであってもよいし、建物外の空気を取り込んで調和し建物内に供給することで建物内の空気を調和するものであってもよい。
【００１８】
ここでは、冷房、暖房、除湿、加湿などのうち１又は複数の機能を持つ空気調和装置が、第２換気装置とともにドア又は窓に組み込まれている。したがって、例えば第２換気装置により外気を建物内に導入する際に、その外気が建物内に持ち込む湿気を除湿したり、その外気が建物内に持ち込む冷熱を暖房により緩和したりすることができる。
【００１９】
請求項７に係る換気システムは、請求項１から６のいずれかに記載の換気システムであって、第１換気装置は、建物内の空気を調和する空気調和装置と一体である。
ここでは、建物内の居室などの空間に設けられる第１換気装置が、空気調和装置と一体となっており、設置スペースが小さくなるだけではなく、連動制御装置が空気調和装置の温度センサなどの情報を利用することも可能になり、空調と換気とが効率よく為されるようになる。
【００２０】
請求項８に係る換気システムは、請求項１から６のいずれかに記載の換気システムであって、第１換気装置は、全熱交換器であり、建物の外部からの給気および建物の外部への排気の両方を行い、且つ給気の空気と排気の空気との間で熱交換を行わせる。
ここでは、全熱交換器である第１換気装置は、自らの給気と排気とをバランスさせることができる。しかし、ドアや窓に組み込まれる第２換気装置を作動させることが建物内の換気にとって望ましいときには、第１換気装置と第２換気装置とを両方作動させることになる。このときにも、連動制御装置が第１換気装置と第２換気装置とを連動制御するため、建物内における圧力状態（静圧状態）を適正に誘導することができる。
【００２１】
請求項９に係る換気システムは、請求項１から８のいずれかに記載の換気システムであって、連動制御装置は、建物のドア又は窓の開閉に基づき第１換気装置の制御を変える。
建物のドア又は窓が開いた状態になると、建物内が正圧ならば建物内から建物外に空気が流れ、反対に建物内が負圧ならば建物外から建物内に空気が流入する。このようなときには、ドア又は窓に組み込まれた第２換気装置を作動させても、上記の建物内外の間の空気の流れを抑えることは難しい。しかし、ここでは、ドア又は窓の開閉に基づき第１換気装置の制御を変えることで、建物内外の間の空気の流れを抑えことができ、建物内の空調負荷の増加を抑えたり、建物外の花粉などの粉塵の建物内への流入を防いだりすることが可能となる。
【００２２】
なお、ドア又は窓の開閉については、近接スイッチや光電センサなどを使って検知してもよいし、ドア等の把手に圧電センサなどを設けてドアの開閉を推測してもよいし、ドアの鍵の動きをセンシングしてドアの開閉を認識してもよい。
請求項１０に係る換気システムは、請求項１から９のいずれかに記載の換気システムであって、第１換気装置は建物内の居室の空間に設けられており、第２換気装置は建物の玄関ドアに組み込まれている。そして、連動制御装置は、第２換気装置によって建物の外部から玄関ドアを介して建物の内部へと空気を流して給気を行わせ、第１換気装置によって居室から建物の外部への排気を行わせる。
【００２３】
ここでは、玄関ドアに組み込まれた第２換気装置により建物外から建物内へ玄関ドアを通じて外気を給気させ、居室の第１換気装置によって建物外への排気を行わせている。これにより、玄関から給気された空気が居室へと流れ、居室から建物外へと排気される空気流れが生まれる。このため、ある居室の汚れた空気が廊下などを介して他の居室に流れ込む可能性が小さくなり、ある居室の空気が調理やタバコの煙で汚れたときにも、その汚れた空気が他の部屋に拡散しにくくなる。
【００２４】
請求項１１に係る換気システムは、請求項１から９のいずれかに記載の換気システムであって、第１換気装置は建物内の居室の空間に設けられており、第２換気装置は建物の玄関ドアに組み込まれている。そして、連動制御装置は、第１換気装置によって建物の外部から居室への給気を行わせ、第２換気装置によって建物の玄関付近の空間から玄関ドアを介して建物の外部へと空気を流して排気を行わせる。
【００２５】
ここでは、居室の第１換気装置により建物外から建物内へ外気を給気させ、玄関ドアに組み込まれた第２換気装置によって玄関から建物外への排気を行わせている。これにより、居室から給気された空気が玄関へと流れ、玄関から建物外へと排気される空気流れが生まれる。このため、居室に常に新鮮な外気を供給できる。また、玄関付近の空間を常に正圧に保持することが容易となり、玄関ドアを開けたときに建物内に花粉などの粉塵が侵入してくることを抑制できる。
【００２６】
請求項１２に係る換気システムは、請求項１１に記載の換気システムであって、連動制御装置は、玄関ドアが開いたときに、第１換気装置による建物の外部から居室への給気の量を増やす制御を行う。
季節や場所によって、玄関ドアが開くと、建物内に外気が流入するとともに、外気に含まれる花粉などの粉塵も建物内に入り込むことがある。このようなとき又は場所では、玄関付近の空間の圧力を正圧に保ち、玄関を通って建物内へ外気が流入することを抑えることが望まれる。
【００２７】
これに鑑み、ここでは、玄関ドアが開いたときに、第１換気装置が居室への給気を増やし、玄関付近の空間の圧力を上げる。これにより、玄関から建物内へ外気の流入を防ぐことができる。なお、居室への給気によって居室に花粉などの粉塵が入り込まないように、第１換気装置は、空気清浄機能やフィルタなどを有していることが好ましい。
【００２８】
請求項１３に係る換気システムは、請求項１から９のいずれかに記載の換気システムであって、第１換気装置は、建物内の台所の空間に設けられる換気扇であり、台所の空間から建物の外部への排気を行う。そして、連動制御装置は、第１換気装置による排気を行うときに、第２換気装置によって建物の外部から建物の内部へと空気を流して給気を行わせる。
【００２９】
ここでは、ドア又は窓に組み込まれた第２換気装置により建物外から建物内へ外気を給気させ、台所の換気扇により建物外への排気を行わせている。このように、ここでは、住宅などにおいて概ね必ず設置されている台所の換気扇と、ドア又は窓に組み込まれた第２換気装置とによって、建物内の換気を実現している。また、これに居室などに設けられる他の第１換気装置を組み合わせても、台所の換気扇を有効に利用した建物内の換気が為されることになる。
【００３０】
請求項１４に係る換気システムは、請求項１から１３のいずれかに記載の換気システムであって、第２換気装置は、換気経路と、ファンと、開閉部材とを有している。換気経路は、ドア又は窓の一方の側と反対側とを結ぶ経路である。ファンは、換気経路に空気の流れを生成させる。開閉部材は、換気経路の開閉を行う。また、開閉部材による換気経路の開閉は、ドア又は窓の開閉に基づいて制御される。
【００３１】
ここでは、ドア又は窓の一方の側と反対側とを結ぶ換気経路を開閉部材により開閉することができ、その開閉がドア又は窓の開閉に基づいて制御される。したがって、例えば、ドア本体を開ける際に一方の側と反対側との圧力差により空気抵抗が大きいような場合に、換気経路を開の状態として空気抵抗が小さくなるようにすることができる。また、ドア本体を閉める際に急激にドア本体が閉まらないように、換気経路を閉の状態として空気抵抗が大きくなるようにすることができる。
【００３２】
請求項１５に係る換気システムは、請求項１から１４のいずれかに記載の換気システムであって、表示装置をさらに備えている。表示装置は、ドア又は窓に一体化されており、建物の内部および外部の少なくとも一方の空気の状態に関する表示を行う。
ここでは、ドア又は窓に表示装置が内蔵され、その表示装置に建物内外の空気の状態に関する表示が為される。例えば、建物内の空気が汚れている旨を表示させたり、建物外の温度を表示させたりすることができる。これにより、各換気装置の作動の必要性を認識させたり、出かける人に服装のチェックを行わせたりすることができる。
【００３３】
請求項１６に係る換気システムは、請求項１５に記載の換気システムであって、空気質センサをさらに備えている。空気質センサは、ドア又は窓に一体化されており、建物の内部および外部の少なくとも一方の空気質を検知する。空気質センサは、例えば、空気中の埃や臭いを検知するセンサ、空気中の酸素濃度を検知するセンサなどである。そして、表示装置は、空気質センサの検知結果に基づいた建物の内部および外部の少なくとも一方の空気質に関する情報を表示する。
【００３４】
ここでは、ドア又は窓に内蔵される空気質センサの検知結果に基づき、表示装置に建物内外の空気質に関する情報が表示される。
請求項１７に係る換気システムは、請求項１５又は１６に記載の換気システムであって、表示装置は、通信ネットワークを介して入手された外部情報に基づいた表示を行う。
【００３５】
ここでは、内蔵あるいは接続されたコントローラなどがインターネット等の通信ネットワークを介して天気予報や地域空気質情報などの外部情報を入手することで、ドアや窓を開ける人間にとって有用な情報を表示装置に表示させることができる。
請求項１８に係る換気システムは、請求項１７に記載の換気システムであって、第２換気装置は、建物の玄関ドアに組み込まれている。そして、表示装置は、少なくとも玄関ドアの内側から視認可能である。また、表示装置は、外出時に有用な情報を表示する。外出時に有用な情報とは、気象情報、交通情報、花粉情報、および光化学オキシダント情報のうち少なくとも１つを含むものであるが、これら全てを含む情報であることが望ましい。
【００３６】
ここでは、玄関ドアの内側から視認できる表示装置が玄関ドアに組み込まれており、そこに気象情報などが表示されるため、外出する人が表示装置の表示を見て有用な情報を入手することが可能になる。特に、気象情報、交通情報、花粉情報、および光化学オキシダント情報の全てを含む情報が表示装置に表示されれば、外出する人は有用情報をまとまった形で外出直前に自然に得ることができるようになる。
【００３７】
請求項１９に係る換気システムは、請求項１５から１８のいずれかに記載の換気システムであって、表示装置は、建物に敷設されている電化機器ネットワークに接続されており、その電化機器ネットワークにつながる各種機器の稼働状況を表示する。第１換気装置や第２換気装置は、電化機器ネットワークにつながっていてもよいし、つながっていなくてもよいが、つながっていることが望ましい。
【００３８】
ここでは、玄関ドアなどと一体化されている表示装置に建物内の電化機器ネットワークの各機器の稼働状況が表示されるため、その表示装置を見た人が各機器の稼働状況を認識することができる。特に、玄関ドアに表示装置が配備されている場合には、外出する際に建物内の機器が無駄にＯＮ状態となっていないかを確認することが容易になる。
【００３９】
請求項２０に係る換気システムは、請求項１９に記載の換気システムであって、表示装置は、電化機器ネットワークにつながる機器を一括してＯＮ／ＯＦＦ操作する操作入力機能を有している。
ここでは、表示装置の操作入力機能を使うことで、外出前などにおいて機器を一括してＯＦＦ状態にすることなどが可能になる。
【００４０】
請求項２１に係る換気システムは、請求項１から２０のいずれかに記載の換気システムであって、連動制御装置は、通信ネットワークを介して入手された外部情報に基づいて第１換気装置と第２換気装置とを連動制御する。
ここでは、内蔵あるいは接続されたコントローラなどが、インターネット等の通信ネットワークを介して天気予報や地域空気質情報などの外部情報を入手することで、換気をしたほうがよいのか換気を控えて空調負荷を抑えたほうがよいのかなどについて適切な判断をして換気装置を制御することができる。
【００４１】
なお、請求項２１に係る換気システムにおいてドア又は窓に空気清浄装置や空気調和装置をさらに内蔵させる場合には、入手した外部情報に基づいて空気清浄装置や空気調和装置の制御が為すことが望ましい。
請求項２２に係る換気システムは、請求項１から２１のいずれかに記載の換気システムであって、第２換気装置は、ドア又は窓に対して着脱可能に装着される。
【００４２】
ここでは、ドア又は窓に第２換気装置を内蔵させているが、第２換気装置はドア又は窓に対して着脱可能となっているため、ドア又は窓の寿命に較べて第２換気装置の寿命が短い場合にも、ドア又は窓を継続して使用し第２換気装置だけを新しいものに取り替えることができるようになる。
請求項２３に係る換気システムは、請求項１から２２のいずれかに記載の換気システムであって、ドア又は窓が建物の内部と外部とを仕切っており、空気吹出装置をさらに備えている。この空気吹出装置は、ドア又は窓に一体化されており、ドア又は窓が開けられたときに所定方向に空気を吹き出す。
【００４３】
季節や場所によって、建物の外部から玄関ドアを開けて建物内に人が入るときや、建物外の庭などから窓を開けて建物内に人が入るときに、人の衣服についた花粉などの粉塵が建物内に持ち込まれることがある。これを防止するため、従来においては、建物内に入る前に衣服から花粉などを手で払うことが為されている。
【００４４】
ここでは、ドア又は窓に内蔵される空気吹出装置がドア又は窓が開けられたときに所定方向に空気を吹き出すため、その吹き出される空気をエアーシャワーのように作用させて人の衣服などに着いている花粉などを払い落とすことが可能となる。
また、空気吹出装置から吹き出される空気をエアーカーテンのように働かせて花粉などの建物内への侵入を防ぐようにすることも可能である。
【００４５】
請求項２４に係る換気システムは、請求項２３に記載の換気システムであって、空気吹出装置は、所定方向に脱臭成分を含む空気を吹き出す。
ここでは、空気吹出装置が脱臭スプレーのように脱臭成分を含む空気を吹き出すため、建物内に入ろうとしている人に着いている臭い成分を除去することができるようになる。
【００４６】
請求項２５に係る換気システムは、請求項１から２２のいずれかに記載の換気システムであって、ドア又は窓が建物の内部と外部とを仕切っており、ドア又は窓から延びる吸引ノズルをさらに備えている。
季節や場所によって、建物の外部から玄関ドアを開けて建物内に人が入るときや、建物外の庭などから窓を開けて建物内に人が入るときに、人の衣服についた花粉などの粉塵が建物内に持ち込まれることがある。これを防止するため、従来においては、建物内に入る前に衣服から花粉などを手で払うことが為されている。
【００４７】
ここでは、ドア又は窓から吸引ノズルが延びているため、建物内に入る人が自分の衣服に着いている花粉等を吸引ノズルによって吸引して取り除くことができるようになる。
なお、吸引ノズルで吸引したものについては、建物の外部に吐き出してもよいし、フィルタなどにより捕集してもよい。
【００４８】
請求項２６に係る換気システムは、請求項１から２５のいずれかに記載の換気システムであって、把手と、接触検知センサとをさらに備えている。把手は、ドア又は窓に設けられており、開閉時に用いられる。接触検知センサは、把手への接触を検知する。
ここでは、開閉時に用いる把手がドア又は窓に設けられ、さらに人が把手を触ったことを検知できる接触検知センサが配備されている。したがって、接触検知センサの検知結果からドアや窓の開閉を推測して換気装置などの制御に使うことができるようになる。
【００４９】
また、把手および接触検知センサをドア又は窓の一方の側と反対側との両方に設けた場合には、どちらから人がドアや窓にアクセスしているのかによって換気装置の制御を変えるなど、さらにきめ細かい換気装置などの制御が可能になる。
請求項２７に係る換気システムは、請求項３に記載の換気システムであって、防犯装置をさらに備えている。防犯装置は、人検知センサの検知結果に基づき、建物の防犯を行う。例えば、防犯装置は、人検知センサの検知結果に基づき、警報を鳴らしたり、外部に通報を行ったりする。
【００５０】
ここでは、人検知センサを、第１換気装置と第２換気装置との連動制御に用いるとともに、防犯装置でも用いている。これにより、建物を留守にするときに空き巣などを検出して、防犯に役立てることができる。
【００５１】
【発明の実施の形態】
［第１実施形態］
＜第１実施形態に係る全館空調・換気システムの構成＞
本発明の第１実施形態に係る全館空調・換気システムを、図１および図３に示す。このシステムは、複数の空間Ｓ１〜Ｓ７に仕切られた館内（住宅内）を空調・換気するシステムである。
【００５２】
全館空調・換気システムは、主として、空気調和装置１１と、空気調和装置１９と、給気扇１２と、空気調和装置１３と、玄関ドア２０に内蔵される換気装置２２（図２参照）と、全館空調・換気コントローラ５０、表示液晶モニタ２３とから構成されている。
空気調和装置１１は、第１居室（空間Ｓ１）の戸外ＯＳに面する側壁上部に設置されており、給気機能を有している。この給気機能は、戸外ＯＳの外気を第１居室の空間Ｓ１内に取り入れる機能である。
【００５３】
空気調和装置１９は、第２居室（空間Ｓ２）の戸外に面する側壁上部に設置されており、換気機能は持っていない。
給気扇１２は、第２居室（空間Ｓ２）の戸外に面する側壁上部に設置されており、戸外ＯＳの外気を第２居室の空間Ｓ２内に取り入れる。
空気調和装置１３は、第３居室（空間Ｓ３）の戸外ＯＳに面する側壁上部に設置されており、給気機能を有している。この給気機能は、戸外ＯＳの外気を第３居室（空間Ｓ３）内に取り入れる機能である。
【００５４】
玄関ドア２０に内蔵される換気装置２２は、図２に示すように、玄関ドア２０のドア本体２１に対して着脱可能に装着されてドア本体２１と一体化される。具体的には、換気装置２２は、ドア本体２１の着脱機構２１ｂに装着され、ドア本体２１の戸外ＯＳ側のスリット２１ａを有する部分に対向している。そして、換気装置２２は、図２において白抜きの矢印で示すように、館内の空気を戸外ＯＳへと排気する機能を有している。換気装置２２は、主として、換気ファン３１と、それを回転させる換気ファンモータ３２と、ダンパ３３と、ダンパ開度調整器３４とから構成されている。換気ファン３１が回ると、館内の空気が、吸込口２２ａからダンパ３３、吹出口２２ｂ、およびドア本体２１のスリット２１ａを経て戸外ＯＳへと流れる。その排気経路Ｒに対して、モータあるいはソレノイドといった駆動源を持つダンパ開度調整器３４が、ダンパ３３をスライドさせて流路面積の調整を行う。また、ダンパ開度調整器３４は、ダンパ３３により排気経路Ｒを完全に閉ざし、館内と戸外ＯＳとの空気の連通を遮断させることも可能である。
【００５５】
玄関ドア２０は、さらに、館内側ドアノブ４１に内蔵されるタッチセンサ４２および埃・臭いセンサ４３と、戸外側ドアノブ４５に内蔵されるタッチセンサ４６および埃・臭いセンサ４７と、ドア加速度センサ３６とを有している。タッチセンサ４２は、ピエゾセンサであり、館内から戸外ＯＳに人が出かけるときに館内側ドアノブ４１に触れると、それを検知する。タッチセンサ４６は、ピエゾセンサであり、戸外ＯＳから館内に人が入るときに館外側ドアノブ４５に触れると、それを検知する。埃・臭いセンサ４３は、館内の空気質を検知する。埃・臭いセンサ４７は、戸外ＯＳの空気質を検知する。
【００５６】
全館空調・換気コントローラ５０は、空気調和装置１１、空気調和装置１９、給気扇１２、空気調和装置１３、および換気装置２２を連動制御する。この連動制御により、図１に示すように、空気調和装置１１、空気調和装置１９、および給気扇１２から館内への外気導入（給気）が為され、玄関の空間Ｓ７から玄関ドア２０を介して戸外ＯＳへと排気が為されるようになる。玄関ドア２０を介する排気の量は、換気装置２２のダンパ３３の開度などによって制御される。
【００５７】
また、コントローラ５０は、空気調和装置１１，１３，１９が内蔵する各センサや、玄関ドア２０の各センサ４２，４３，４６，４７からの信号を受け、それらを各種制御（空調制御や換気制御）に生かす。さらに、コントローラ５０は、インターネット９０を介して気象情報提供事業者９１などから外部情報を入手できるように構成されており、気象情報などを各センサから得られる有用な情報とともに表示液晶モニタ２３に表示させる。
【００５８】
表示液晶モニタ２３は、玄関ドア２０のドア本体２１に一体化されており、館内側に向いている。ここには、館内の人が玄関ドア２０を開けて戸外ＯＳに出るときに有用と思われる情報、例えば、戸外ＯＳの天気、戸外ＯＳの温湿度、戸外ＯＳの花粉飛散状況、空気調和装置１１等のＯＮ／ＯＦＦ状態、館内の窓などの施錠状態が表示される。
【００５９】
＜第１実施形態に係る全館空調・換気システムの制御／特徴＞
（１）
このシステムでは、館内の居室の空間Ｓ１〜Ｓ３に設けられる空気調和装置１１、給気扇１２、および空気調和装置１３の他に、玄関ドア２０に組み込んだ換気装置２２を使っている。このため、全館空調・換気システムにおいて、建物の壁や天井などに特別な工事を施すことなく建物に玄関ドア２０を普通に取り付けるだけで、システムの一翼を担う換気装置２２を建物に配備することができている。そして、コントローラ５０により、空気調和装置１１、給気扇１２、空気調和装置１３、及び換気装置２２を連動させることで、図１に示すように館内を換気している。
【００６０】
このように、ここでは、比較的小さな費用で全館空調・換気システムが構築され、館内の換気状態を適正な状態に保つことができるようになっている。
（２）
このシステムでは、図１に示すように、空気調和装置１１、空気調和装置１９、および給気扇１２から館内への外気導入（給気）が為され、玄関の空間Ｓ７から玄関ドア２０を介して戸外ＯＳへと排気が為される。このため、各居室の空間Ｓ１〜Ｓ３に常に新鮮な外気を供給できている。また、玄関の空間Ｓ７を常に正圧に保持することが容易となっており、玄関ドア２０を開けたときに館内に花粉などの粉塵が侵入してくることを抑制できる。
【００６１】
また、玄関ドア２０を開けたときの館内への粉塵の侵入を防ぐため、コントローラ５０は、玄関ドア２０が開くときに、空気調和装置１１、空気調和装置１９、および給気扇１２から館内への外気導入量（給気量）を増やす制御を行う。玄関ドア２０が開いたことはドア加速度センサ３６により検知することも可能であるが、ここでは、玄関ドア２０が実際に開けられる前から予め館内への外気導入量を増やして玄関の空間Ｓ７を正圧に保持させるために、タッチセンサ４２，４３により誰かがドアノブ４１，４５に触ったことを検知した段階で玄関ドア２０が開くと推定により判断する。すなわち、コントローラ５０は、タッチセンサ４２，４３からの信号に基づいて、空気調和装置１１、空気調和装置１９、および給気扇１２から館内への外気導入量を増やす。
【００６２】
これにより、玄関ドア２０が開くときは、常に玄関の空間Ｓ７が正圧となり、フィルタなどを通さない生の外気が玄関から館内に流入することが防がれる。なお、空気調和装置１１、空気調和装置１９、および給気扇１２から館内に給気される外気は、フィルタなどによって花粉等の粉塵を殆ど含まないものとなっている。
【００６３】
（３）
このシステムでは、玄関ドア２０の両側（館内側と戸外ＯＳ側）を結ぶ換気経路Ｒをダンパ３３により開閉することができるが、その開閉の制御は、コントローラ５０により玄関ドア２０の開閉に基づいて行われる。
コントローラ５０は、ドア加速度センサ３６により玄関ドア２０が開き始めたことを検知すると、排気経路Ｒが閉じた状態であればダンパ開度調整器３４に指令を出してダンパ３３を動かし、排気経路Ｒにより館内と戸外ＯＳとが連通した状態に移行させる。これにより、玄関ドア２０を開ける人は、比較的スムーズに玄関ドア２０を開けることができる。
【００６４】
また、コントローラ５０は、ドア加速度センサ３６により玄関ドア２０が閉まり始めたことを検知すると、ダンパ開度調整器３４に指令を出してダンパ３３を動かし、排気経路Ｒを完全に閉じた状態にして館内と戸外ＯＳとの空気の連通を遮断させる。これにより、玄関ドア２０を閉める人は、勢い良く玄関ドア２０が閉まることによって指をつめてしまうといった不測の事態を避けることができるようになる。
【００６５】
（４）
このシステムでは、玄関ドア２０のドア本体２１に表示液晶モニタ２３を装着し、そこに戸外ＯＳの天気、戸外ＯＳの温湿度、戸外ＯＳの花粉飛散状況、空気調和装置１１等のＯＮ／ＯＦＦ状態、館内の窓などの施錠状態といった有用情報を表示させている。これにより、出かけようとする人が、服装の確認を行ったり、留守になる家のセキュリティの確認チェックを行ったりすることが可能となっている。
【００６６】
（５）
このシステムでは、館内の第１居室の空間Ｓ１および第３居室の空間Ｓ３に設けられる空気調和装置１１，１３が給気機能を内蔵しており、設置スペースが小さくなるだけではなく、コントローラ５０が空気調和装置１１，１３の吸込温度センサや吹出温度センサなどの情報を利用することも可能となっている。コントローラ５０は、戸外ＯＳの外気温度と各居室の空間Ｓ１〜Ｓ３の室内温度とを比較した上で給気による外気冷房や外気暖房を行ったり、空調負荷が大きく空気調和装置１１，１３の冷房能力や暖房能力が最大になっているときに給気による外気導入を控えたりする全館空調・換気制御を行う。
【００６７】
（６）
このシステムでは、換気装置２２の寿命がドア本体２１の寿命に較べて短くなっているが、玄関ドア２０のドア本体２１に換気装置２２が着脱可能に装着されているため、換気装置２２の寿命が尽きたときにはドア本体２１を継続して使用し換気装置２２だけを新しいものに取り替えることができる。
【００６８】
［第２実施形態］
＜第２実施形態に係る全館空調・換気システムの構成＞
本発明の第２実施形態に係る全館空調・換気システムを、図４および図６に示す。このシステムは、複数の空間Ｓ１〜Ｓ７に仕切られた館内（住宅内）を空調・換気するシステムである。
【００６９】
全館空調・換気システムは、主として、空気調和装置１１１と、空気調和装置１１９と、換気扇１１２と、空気調和装置１１３と、玄関ドア１２０に内蔵される換気装置１２２（図２参照）と、全館空調・換気コントローラ１５０、表示液晶モニタ１２３とから構成されている。
空気調和装置１１１は、第１居室（空間Ｓ１）の戸外ＯＳに面する側壁上部に設置されており、排気機能を有している。この排気機能は、第１居室内の空気を戸外ＯＳに排出する機能である。また、空気調和装置１１１は、第１居室の空間Ｓ１に人が居ることを検知できる人検知センサ１１１ａを有している（図６参照）。
【００７０】
空気調和装置１１９は、第２居室（空間Ｓ２）の戸外に面する側壁上部に設置されており、換気機能は持っていない。また、空気調和装置１１９は、第２居室の空間Ｓ２に人が居ることを検知できる人検知センサ１１９ａを有している（図６参照）。
換気扇１１２は、第２居室（空間Ｓ２）の戸外に面する側壁上部に設置されており、第２居室内の空気を戸外ＯＳに排出する。
【００７１】
空気調和装置１１３は、第３居室（空間Ｓ３）の戸外ＯＳに面する側壁上部に設置されており、排気機能を有している。この排気機能は、第３居室内の空気を戸外ＯＳに排出する機能である。また、空気調和装置１１３は、第３居室の空間Ｓ３に人が居ることを検知できる人検知センサ１１３ａを有している（図６参照）。
【００７２】
玄関ドア１２０に内蔵される換気装置１２２は、図５に示すように、玄関ドア１２０のドア本体１２１に対して着脱可能に装着されてドア本体１２１と一体化される。そして、換気装置１２２は、図５において白抜きの矢印Ａ１で示すように、戸外ＯＳの外気を館内へと給気する機能を有している。換気装置１２２は、図６に示すように、主として、換気ファン（図示せず）と、それを回転させるファンモータ１３２と、ダンパ（図示せず）と、ダンパ開度調整器１３４とから構成されている。換気ファンが回ると、戸外ＯＳの外気がドア本体１２１内の給気経路を経て館内へと吸い込まれる。また、モータあるいはソレノイドといった駆動源を持つダンパ開度調整器１３４は、ドア本体１２１内の給気経路に設置されているダンパをスライドさせて流路面積の調整を行う。
【００７３】
玄関ドア１２０は、さらに、館内側ドアノブに内蔵される埃・臭いセンサ１４３と、戸外側ドアノブに内蔵されるタッチセンサ１４６および埃・臭いセンサ１４７と、館内温度センサ１４４と、戸外温度センサ１４８とを有している。タッチセンサ１４６は、ピエゾセンサであり、戸外ＯＳから館内に人が入るときに館外側ドアノブに触れると、それを検知する。埃・臭いセンサ１４３は、館内の空気質を検知する。埃・臭いセンサ１４７は、戸外ＯＳの空気質を検知する。館内温度センサ１４４および戸外温度センサ１４８は、次に説明する空気調和装置１３８の冷房や暖房時における制御に必要なものであり、空気調和装置１３８が内蔵するものである。
【００７４】
また、玄関ドア１２０には、換気装置１２２の近傍に配置される空気調和装置１３８および空気清浄装置１３９が組み込まれている。空気調和装置１３８は、冷房機能、暖房機能、および除湿機能を持っており、基本的には図５の白抜きの矢印Ａ２に示すように館内の空気を取り込んで空気調和（冷暖、除湿）して館内に戻す。しかし、空気調和装置１３８は、換気装置１２２が戸外ＯＳから館内に引き入れる外気を空気調和して館内に吹き出すこともできる。空気清浄装置１３９は、集塵フィルタ、プラズマ集塵機構、脱臭フィルタなどを有しており、基本的には図５の白抜きの矢印Ａ２に示すように館内の空気を取り込んで清浄化して館内に戻す。しかし、空気清浄装置１３９は、換気装置１２２が戸外ＯＳから館内に引き入れる外気を清浄化して館内に吹き出すこともできる。この空気清浄装置１３９の空気清浄機能は、玄関ドア１２０が開いているときには停止する。
【００７５】
空気清浄装置１３９の脱臭フィルタとして、ここでは、可視光光触媒コルゲートを用いている。可視光光触媒コルゲートは、斜めカットされ、表面積が大きくなっている。また、この可視光光触媒コルゲートを夜間に活性化させるために、複数の冷陰極ランプ（紫外線ランプ）が設けられている。
空気清浄装置１３９の集塵フィルタは、プリーツ加工が施されており、表面積が大きくなっている。
【００７６】
全館空調・換気コントローラ１５０は、空気調和装置１１１、空気調和装置１１９、換気扇１１２、空気調和装置１１３、換気装置１２２、空気調和装置１３８、および空気清浄装置１３９を連動制御する。この連動制御により、図４に示すように、空気調和装置１１１、空気調和装置１１９、および換気扇１１２から戸外ＯＳへと館内の空気が排気され、玄関の空間Ｓ７から玄関ドア１２０を介して戸外ＯＳの外気が館内に取り入れられるようになる。
【００７７】
また、コントローラ１５０は、空気調和装置１１１，１１３，１１９が内蔵する人検知センサ１１１ａ，１１３ａ，１１９ａを含む各センサや、玄関ドア１２０の各センサ１４３，１４４，１４６，１４７，１４８からの信号を受け、それらを各種制御に生かす。例えば、コントローラ１５０は、館内および戸外ＯＳの温度の比較を基にして、空気調和装置１１１、空気調和装置１１９、および換気扇１１２による排気と換気装置１２２による給気とを連動制御する。空気調和装置１１１等が戸外ＯＳおよび居室内の湿度を検知できる湿度センサを有していれば、館内および戸外ＯＳの温度の比較ではなく、湿度あるいはエンタルピの比較をして連動制御を行ってもよい。
【００７８】
さらに、コントローラ１５０は、インターネット９０を介して気象情報提供事業者９１などから外部情報を入手できるように構成されており、気象情報などを各センサから得られる有用な情報とともに表示液晶モニタ１２３に表示させる。表示液晶モニタ１２３は、玄関ドア１２０のドア本体１２１に一体化されており、館内側に向いている。ここには、館内の人が玄関ドア１２０を開けて戸外ＯＳに出るときに有用と思われる情報、例えば、戸外ＯＳの天気、戸外ＯＳの温湿度、戸外ＯＳの花粉飛散状況、空気調和装置１１１等のＯＮ／ＯＦＦ状態、館内の窓などの施錠状態が表示される。
【００７９】
＜第２実施形態に係る全館空調・換気システムの制御／特徴＞
以下に、第２実施形態に係る全館空調・換気システムの制御および特徴について説明するが、第１実施形態に係るものと同様のことについては説明を省略する。
（１）
このシステムでは、玄関ドア１２０に組み込まれた換気装置１２２により戸外ＯＳから館内へ外気を給気させ、居室の空間Ｓ１〜Ｓ３の空気調和装置１１１、空気調和装置１１９、および換気扇１１２によって戸外ＯＳへの排気を行わせている。これにより、戸外ＯＳから玄関の空間Ｓ７へと給気された空気が居室の空間Ｓ１〜Ｓ３へと流れ、居室の空間Ｓ１〜Ｓ３から戸外ＯＳへと排気される空気流れが生まれる（図４参照）。このため、例えば第１居室の空間Ｓ１の空気が調理やタバコの煙によって汚れた場合にも、その空気が廊下の空間Ｓ６などを介して他の居室の空間Ｓ２，Ｓ３に流れ込む可能性が小さくなっている。図４に示すように、各居室の空間Ｓ１〜Ｓ３の静圧を負圧とし、廊下の空間Ｓ６や玄関の空間Ｓ７の静圧を正圧とすることで、各居室の空間Ｓ１〜Ｓ３の汚れた空気が廊下の空間Ｓ６に漏れ出ることを防ぐことができる。
【００８０】
（２）
このシステムでは、コントローラ１５０が館内および戸外ＯＳの温度（あるいは、湿度やエンタルピ）の比較に基づいて、空気調和装置１１１、空気調和装置１１９、および換気扇１１２による排気と換気装置１２２による給気とを連動制御している。これにより、例えば、玄関ドア１２０の空気調和装置１３８により館内を冷房しているときに戸外ＯＳがより涼しい状態であったり、館内を暖房しているときに戸外ＯＳがより暖かい状態であったりしたときに、換気装置１２２による給気を利用して戸外ＯＳの外気を館内に取り込むようにして館内の快適性を向上させることができる。具体的には、館内温度および外気温度（戸外ＯＳの温度）が図７における斜線のハッチングエリアＡＲ１にあるときには、コントローラ１５０は、換気装置１２２による給気の風量をアップさせる外気冷房モードに移行する。また、館内温度および外気温度が図７における斜線のハッチングエリアＡＲ２にあるときには、コントローラ１５０は、換気装置１２２による給気の風量をアップさせる外気暖房モードに移行する。
【００８１】
このような、いわゆる外気冷房等のエネルギー消費を抑える制御がコントローラ１５０により為されている。また、空気調和装置１１１，１１３，１１９，１３８により館内を空調しているときであって空調負荷がピークに達しているようなときには、コントローラ１５０が換気量を減らし、その分を空調負荷の少ない時間帯に多く換気する制御を行っている。
【００８２】
（３）
このシステムでは、コントローラ１５０は、各居室の空間Ｓ１〜Ｓ３で人検知センサ１１１ａ，１１９ａ，１１３ａによって人の有無を検知し、その検知結果に基づき空気調和装置１１１、空気調和装置１１９、および換気扇１１２による排気を制御し、その排気に連動させる形で玄関ドア１２０の換気装置１２２による給気を制御する。
【００８３】
このため、まず各居室の空間Ｓ１〜Ｓ３に人が居るときには、居ないときに較べてその空間の換気量を増やし、その空間が状況に合った快適な空調・換気状態となる。また、それに応じて、他の空間においても適切な換気状態や圧力状態が保たれる。例えば、第１居室の空間Ｓ１に人がいる場合にその第１居室の空気調和装置１１１の排気機能を動かして排気を行うと、第１居室内の人は快適な換気状態を享受することになる。しかし、そのために玄関の空間Ｓ７が負圧となって玄関ドア１２０が開け難くなるという弊害が生じる恐れがある。このような弊害を抑えるため、コントローラ１５０は、空気調和装置１１１、空気調和装置１１９、および換気扇１１２による排気に合わせて、その排気量に合った量の給気を、玄関ドア１２０に設けた換気装置１２２によって行わせている。これにより、第１居室の空間Ｓ１に人が入って急に空気調和装置１１１による排気量が多くなったときにも、玄関の空間Ｓ７の圧力状態が適正な値に保たれる。
【００８４】
（４）
このシステムでは、換気装置１２２とともに空気清浄装置１３９を玄関ドア１２０に組み込んでいるため、より少ない換気量で館内の空気質を向上させることができる。また、空気清浄装置１３９を作動させることで、少ない換気量で所望の換気環境を得ることが可能になるため、換気による空調負荷の増加が抑えられ、省エネルギーに寄与することができている。
【００８５】
さらに、玄関ドア１２０に組み込んだ空気清浄装置１３９の脱臭機能を働かせれば、玄関の空間Ｓ７に市販の脱臭剤などを置いておかなくても、玄関にある傘や靴のにおいなどを抑制することができるようになる。特に、来客がある場合に空気清浄装置１３９の脱臭機能を最大能力で作動させておけば、安心して客を迎えられるようになる。
【００８６】
また、玄関ドア１２０が開いたときに空気清浄装置１３９を作動させても、館内の空間と戸外ＯＳの空間とがつながっている状態なので、館内の空気を清浄する作用が非常に小さくなる。この場合には、空気清浄装置１３９の作動に要するエネルギーの多くが無駄になってしまうため、ここでは玄関ドア１２０が開いたときに空気清浄装置１３９による空気の清浄化を停止させている。これにより、省エネルギー化が図られている。
【００８７】
（５）
このシステムでは、冷房、暖房、および除湿機能を持つ空気調和装置１３８が、換気装置１２２とともに玄関ドア１２０に組み込まれている。そして、コントローラ１５０は、必要に応じて、換気装置１２２により外気を館内に導入する際に、その外気が館内に持ち込む湿気を除湿したり、その外気が館内に持ち込む冷熱を暖房により緩和したりする制御を空気調和装置１３８に対して行っている。除湿機能については、例えば、吸着ロータを用いたデシカント除湿を行うことが考えられる。
【００８８】
このように、ここでは玄関ドア１２０に除湿機能などを持つ空気調和装置１３８が組み込まれているため、浴室・洗面・トイレといった水のある空間Ｓ５が近く且つ傘や靴によって外部から水分が持ち込まれて溜まりやすい玄関の空間Ｓ７においてカビが発生するようなことを防ぐことができる。また、玄関ドア１２０の空気調和装置１３８の除湿機能を働かせることで、玄関の空間Ｓ７の空気を乾燥させて靴や傘を乾かすことが可能となり、さらに館内の結露を防止することも可能となる。
【００８９】
なお、ここでは空気調和装置１３８に加湿機能を付けていないが、玄関ドア１２０に組み込むスペースがあれば、加湿機能も付加することが考えられる。
（６）
このシステムでは、コントローラ１５０が、インターネット９０を介して天気予報や地域の花粉情報などの外部情報を入手して、換気をしたほうがよいのか換気を控えて空調負荷を抑えたほうがよいのかなどについて適切な判断をしている。このような判断に基づき、コントローラ１５０は、空気調和装置１１１、空気調和装置１１９、換気扇１１２、空気調和装置１１３、換気装置１２２、空気調和装置１３８、および空気清浄装置１３９を連動制御している。
【００９０】
また、コントローラ１５０は、空気調和装置１１１，１１３，１１９が内蔵する人検知センサ１１１ａ，１１３ａ，１１９ａを含む各センサや、玄関ドア１２０の各センサ１４３，１４４，１４６，１４７，１４８からの信号を受け、全館空調・換気制御を行う。
（７）
このシステムでは、玄関ドア１２０に換気装置１２２を一体化させているが、玄関ドア１２０が開いているときには換気装置１２２を作動させても館内の圧力状態は殆ど変化しない。
【００９１】
これに鑑み、コントローラ１５０は、玄関ドア１２０の開閉に基づいて、空気調和装置１１１、空気調和装置１１９、および換気扇１１２からの戸外ＯＳへの排気量を調整している。具体的には、玄関ドア１２０が開いた状態になると、空調されていない粉塵を含んだ外気が大量にフィルタも通さずに玄関の空間Ｓ７へと流入してくる恐れがある。このような事象を抑えるために、コントローラ１５０は、玄関ドア１２０が開いたときには空気調和装置１１１、空気調和装置１１９、および換気扇１１２からの戸外ＯＳへの排気を中断させて玄関の空間Ｓ７への外気の流入を防ぎ、館内の空調負荷の増加を抑えたり、戸外ＯＳの花粉などの粉塵の館内への流入を抑えたりする。
【００９２】
［第３実施形態］
上記第２実施形態では、全館空調・換気コントローラ１５０により、第１居室の空間Ｓ１にある空気調和装置１１１と、第２居室の空間Ｓ２にある空気調和装置１１９および換気扇１１２と、第３居室の空間Ｓ３にある空気調和装置１１３と、玄関ドア１２０に組み込まれている換気装置１２２、空気調和装置１３８、および空気清浄装置１３９とを連動制御させている。
【００９３】
これに対し、第３実施形態では、これらに加えて、台所の空間Ｓ４の換気扇１１４と浴室等の空間Ｓ５の換気扇１１５とを、コントローラ１５０により連動制御させる。そして、調理中に換気扇１１４によって台所の空間Ｓ４から戸外ＯＳへの排気を行うときや、入浴後に換気扇１１５によって浴室等の空間Ｓ５から戸外ＯＳへの排気を行うときに、コントローラ１５０から玄関ドア１２０に組み込まれている換気装置１２２に指令を出させ、今までより多く戸外ＯＳから玄関の空間Ｓ７への給気を行わせる。
【００９４】
これにより、換気扇１１４，１１５を作動させたときに玄関の空間Ｓ７から台所の空間Ｓ４や浴室等の空間Ｓ５へと空気が流れるようになり、廊下の空間Ｓ６が負圧となって居室の空間Ｓ１〜Ｓ３から台所の空間Ｓ４や浴室等の空間Ｓ５へと空気が漏れ出すことを抑えられる。このため、居室の空間Ｓ１〜Ｓ３における快適な空調環境や換気環境が換気扇１１４，１１５の作動により悪影響を受けて崩れることが少なくなる。すなわち、ここでは、台所の空間Ｓ４の換気扇１１４や浴室等の空間Ｓ５の換気扇１１５による排気量も考慮した形で全館の排気および給気をコントロールしているため、館内の各空間Ｓ１〜Ｓ７が常に所望の静圧状態に保たれるようになる。
【００９５】
［第４実施形態］
上記各実施形態では、玄関ドア２０，１２０に換気装置２２，１２２を組み込んでいるが、玄関ドアではなく館内の適当な窓に換気装置を組み込んでも、全館空調・換気システムを構築して館内の各空間Ｓ１〜Ｓ７の静圧をコントロールすることが可能である。
【００９６】
第２および第３実施形態において玄関ドア１２０に換気装置１２２を内蔵させているのに対し、第４実施形態では、第３居室の空間Ｓ３において館内と戸外ＯＳとを仕切る窓１６０に対して換気装置１６２を内蔵させている（図９および図１０参照）。
窓１６０は、図９に示すように戸外ＯＳから第３居室の空間Ｓ３へと外気を給気させる換気機能を備える。窓１６０は、図１０に示すように、主として、窓枠１６１および窓ガラス１６３から成る窓本体と、窓枠１６１と窓ガラス１６３との間に装着され窓本体と一体となる換気装置１６２とから構成されている。窓枠１６１の上下には、それぞれ２つの車輪１６１ａが設けられており、窓枠１６１が建物のサッシのレールにはめられたときに開け閉めができるようにされている。換気装置１６２の館内側および戸外ＯＳ側の面には多数の細かい空気孔１６２ａが設けられている。
【００９７】
そして、全館空調・換気コントローラ（図示せず）は、第１居室の空間Ｓ１にある空気調和装置１１１と、第２居室の空間Ｓ２にある空気調和装置１１９および換気扇１１２と、第３居室の空間Ｓ３にある窓１６０に内蔵された換気装置１６２と、台所の空間Ｓ４の換気扇１１４と、浴室等の空間Ｓ５の換気扇１１５とを連動制御する。
【００９８】
これにより、図９に示す空気の流れ、すなわち、戸外ＯＳから第３居室の空間Ｓ３へと給気された空気が廊下の空間Ｓ６を経て第１居室の空間Ｓ１、第２居室の空間Ｓ２、台所の空間Ｓ４、および浴室等の空間Ｓ５へと流れ、それらの空間Ｓ１，Ｓ２，Ｓ４，Ｓ５から戸外ＯＳへと排気される空気流れが生まれる。また、それぞれの空間Ｓ１〜Ｓ７は、全館空調・換気コントローラにより適切な静圧にコントロールされる。
【００９９】
なお、窓１６０に対して、換気装置１６２による換気機能だけではなく、空気調和機能や空気清浄機能を付加してもよいし、各種センサを内蔵させて給気をよりきめ細かく制御するようにしてもよい。
［第５実施形態］
上記第１実施形態のシステムでは、玄関ドア２０が開くときに、空気調和装置１１、空気調和装置１９、および給気扇１２から館内への給気量を増やし、玄関の空間Ｓ７を正圧とすることで、フィルタなどを通さない生の外気が館内に流入することを防いでいる。
【０１００】
しかし、戸外ＯＳから館内へと入る人間の衣服等に花粉などの粉塵が付着していれば、それの館内への侵入は防ぐことができない。
第５実施形態のシステムでは、第１実施形態のシステムにおける玄関ドア２０の代わりに、図１１に示す玄関ドア３２０を採用する。玄関ドア３２０は、ドア本体３２１と、ドア本体３２１内に内蔵される換気装置３２２と、透過型表示ディスプレイ３２３と、内蔵スピーカ３２４と、把手３４５と、タッチセンサ３４６と、ドア加速度センサ３４７とを備えている。
【０１０１】
換気装置３２２は、通常はドア本体３２１の下部に設けられた多数の内外連通孔３２１ａから館内の空気を戸外へと流すが、ドア本体３２１の端面３２１ｂに上部から下部にかけて設けられた複数の噴射孔３２１ｃから館内の空気を図１１の１点鎖線で示す方向に噴射することができる。この噴射空気Ｊ１は、玄関ドア３２０を開けて館内に入ろうとする人の衣服に付いた粉塵を吹き払うことになる。
【０１０２】
透過型表示ディスプレイ３２３は、館内側からも戸外側からも見ることができる表示装置であり、通常は玄関ドア３２０の向こう側を見ることが可能な状態となっている。タッチセンサ３４６は、ピエゾセンサであり、戸外から館内に人が入るときに戸外側の把手３４５に触れると、それを検知する。
そして、全館空調・換気コントローラは、タッチセンサ３４６からの信号によって誰かが戸外側の把手３４５に触れたと判断すると、花粉の飛散が多い季節には、まず透過型表示ディスプレイ３２３において表示を点滅させるなどして注意を促すとともに、内蔵スピーカ３２４によって「衣服の花粉を払うためにドアを開けたときにジェット噴射を行います」といった音声出力を行う。そして、その後にドア加速度センサ３４７からの信号により玄関ドア３２０が開け始められたと判断すると、コントローラは、換気装置３２２に指令を送って複数の噴射孔３２１ｃから噴射空気Ｊ１を噴射させる。すると、この噴射空気Ｊ１によって館内に入る人の衣服に付いた花粉などの粉塵が吹き払われる。噴射空気Ｊ１は、ドア加速度センサ３４７からの信号により玄関ドア３２０が閉め始められたと判断されたときに止められる。
【０１０３】
なお、玄関ドア３２０に脱臭スプレーを装着しておき、噴射空気Ｊ１とともに脱臭成分を持つ空気を館内に入る人に当てるようにすることも可能である。この場合には、館内に入ろうとしている人に付着している臭い成分も除去することができる。
［第６実施形態］
上記第５実施形態の玄関ドア３２０に代えて、図１２に示す玄関ドア４２０を採用することも可能である。
【０１０４】
玄関ドア４２０は、ドア本体４２１に換気装置４２２が一体に装着されているものである。換気装置４２２は、装置本体から延びるフレキシブルな吸引ノズル４２２ａを備えており、玄関ドア４２０が閉まっているときには、この吸引ノズル４２２ａから館内の空気を吸い込み（図１２の１点鎖線の矢印を参照）、戸外への排気を行う。また、玄関ドア４２０が開いているときであって、花粉の飛散する季節などには、換気装置４２２が最大排気能力を発揮して作動し、吸引ノズル４２２ａにより周囲の空気を強く吸引する。したがって、花粉の季節などに玄関ドア４２０を開けて館内に入る人は、吸引ノズル４２２ａを自分の衣服のそばに寄せて衣服に付着している花粉を吸引させてドア本体４２１の戸外側へと追い出すことができる。
【０１０５】
［第７実施形態］
上記実施形態では、館内と戸外とを仕切る玄関ドア２０，１２０，３２０，４２０や窓１６０に換気装置を組み込んでいるが、館内の空間Ｓ１〜Ｓ７同士を仕切る館内ドアに換気装置を組み込んでもよい。
図１３および図１４に、換気装置７２を内蔵する館内ドア７０を示す。館内ドア７０は、主として、ドア本体７１と、換気装置７２と、透過型表示ディスプレイ７３とから構成されている。
【０１０６】
ドア本体７１は、その表面素材にアルミパネルが用いられている。このアルミパネルは、アルマイト染色されているとともに、パンチングによる細かい多数の孔７１ａが開けられている。
換気装置７２は、複数のユニットから構成されており、図１４に示すようにメンテナンス時にはドア本体７１から引き出すことができる。換気装置７２が作動すると、ドア本体７１の一方の側面の孔７１ａから空気が吸い込まれ、他方の側面の孔７１ａから空気が吹き出される。
【０１０７】
透過型表示ディスプレイ７３は、ドア本体７１の向こう側が見えるタッチパネル式の液晶ディスプレイであり、操作していないときには部屋の空気の状態（清浄状態など）をアニメーション表示したり、インターネットを介してダウンロードした各種情報を表示したりする。また、この透過型表示ディスプレイ７３を「勉強中」などといったメッセージを表示させるメッセージボードとして使用することも可能である。
【０１０８】
上記のように館内ドア７０に換気装置７２を内蔵すれば、以下のような制御が可能となる。
（１）
館内の各空間をそれぞれ適正な圧力にコントロールするときに、空気調和装置に付随している換気機能や台所などの換気扇を使うだけでは、館内ドアが閉まっているときには、館内ドアの内外の空気の通りが悪い。したがって、館内の各空間を所望の圧力状態に持っていくまでに相当な時間がかかってしまう。
【０１０９】
これに対し、換気装置７２を内蔵する館内ドア７０を採用し、全館空調・換気コントローラが換気機能付き空気調和装置や換気扇に加え館内ドア７０の換気装置７２も連動制御するように構成すれば、素早く館内の各空間を適正な圧力状態にすることができる。
例えば、館内の住人のうち１人だけがタバコを吸う場合であって、その人の部屋からタバコの煙が廊下に漏れて他の人の部屋などに流れていくことを避けたい場合には、タバコを吸う人の部屋の館内ドア７０の換気装置７２によって部屋の中に向けて常に少量の給気を行わせるとともに部屋の窓を少し開けさせ、さらにその部屋の外の廊下の空間を他の部屋の空気調和装置などの給気機能を使って正圧に保持しておけばよい。
【０１１０】
（２）
また、ある部屋の空気が調理や来客のタバコの煙などによってひどく汚れたときには、その部屋の窓を開けたり小さな換気扇を回したりするだけでは、なかなか部屋の中が清浄にならない。このような場合には、部屋の窓を開けた状態で、館内ドア７０の換気装置７２を最大能力で作動させて部屋内に廊下などから大量の空気を送り込めば、短時間で部屋内の空気の清浄化を達成することができる。
【０１１１】
［第８実施形態］
上記第２実施形態では、人検知センサ１１１ａ，１１３ａ，１１９ａを空気調和や換気の連動制御に生かしているが、これらの人検知センサ１１１ａ，１１３ａ，１１９ａを防犯に生かすことも考えられる。また、上記第２実施形態では、館内側に向く玄関ドア１２０の表示液晶モニタ１２３に気象情報や花粉情報などを表示するようにしているが、さらに表示を工夫することも可能である。
【０１１２】
図１５に示すように、第８実施形態に係る全館空調・換気システムは、家庭内の総合的なシステムに拡張されている。ここでは、家庭内電化機器ネットワーク１８０が館内に敷設されており、これに全館空調・換気コントローラ１５０、防犯機能内蔵ホームコントローラ１８０ａ、インターホン１８１、照明機器１８２、表示液晶モニタ１２３などが接続されている。また、家庭内電化機器ネットワーク１８０は、インターネット９０を介して、気象情報提供事業者９１、交通情報提供者９２、警備サービス事業者９３などと交信が可能である。
【０１１３】
防犯機能内蔵ホームコントローラ１８０ａは、人検知センサ１１１ａ，１１３ａ，１１９ａや撮影機能付きのインターホン１８１などからの情報を基にして留守中の防犯監視を行い、留守中に館内に不審な人物が入ったと判断した場合には、インターホン１８１による撮影映像を記憶するとともに、警報を鳴らしたり、警備サービス事業者９３などに通報を行ったり、玄関ドア１２０の表示液晶モニタ１２３に「ＳＯＳ」という文字を点滅表示させたりする。
【０１１４】
表示液晶モニタ１２３には、館内の人が外出する際に、外出時に有用な情報（気象情報、交通情報、花粉情報、および光化学オキシダント情報）が表示される。このような有用情報は、インターネット９０を介して気象情報提供事業者９１や交通情報提供者９２から得られるものである。これにより、外出する人は、これらの有用情報をまとまった形で外出直前に目にすることができるようになる。
【０１１５】
また、表示液晶モニタ１２３には、家庭内電化機器ネットワーク１８０に接続されている各機器の稼働状況が表示される。そして、表示液晶モニタ１２３は操作入力を受け付けるタッチパネル式となっており、家庭内電化機器ネットワーク１８０につながる複数の機器を一括してＯＮ／ＯＦＦ操作することができるようになっている。このため、外出する人は、館内の機器を無駄につけたままにして外出してしまうというミスを防ぐことができる。また、帰宅時において、玄関で必要な機器をいち早くＯＮ状態にすることができる。
【０１１６】
［他の実施形態］
（Ａ）
上記第１実施形態では、第１居室の空間Ｓ１に給気機能を持つ空気調和装置１１、第２居室の空間Ｓ２に給気扇１２、第３居室の空間Ｓ３に給気機能を持つ空気調和装置１３を、それぞれ配備している。これに代えて、全熱交換器を建物に配備して、それにより各居室の空間Ｓ１〜Ｓ３に対する給気を行わせてもよい。このときには、全熱交換器による排気は、廊下の空間Ｓ６やトイレ等の空間Ｓ５から行うことになる。この場合には、給気の空気と排気の空気との間で熱交換が行われるため、換気による館内の空調負荷の増大を抑制することができる。
【０１１７】
このように全熱交換器を建物に設置している場合にも、玄関ドアや窓に換気装置を組み込むことで、館内の空気の流れや圧力コントロールをよりよいものにすることができる。
（Ｂ）
上記第１実施形態では、玄関ドア２０の換気装置２２は、単にドア本体２１の館内側から戸外側へと空気を流す一方通行の換気装置となっている。これに代えて、どちらの方向にも空気を流すことのできる排気／給気の切り替えが可能な換気装置を玄関ドアに組み込むことも考えられる。そして、玄関ドアから排気を行って居室の空間から玄関の空間への空気の流れを作るほうが望ましいか、その反対に玄関の空間から居室の空間への空気の流れを作るほうが望ましいかを、玄関ドアの外側のエンタルピと居室の窓の外のエンタルピとを比較して選択し、その選択にしたがって玄関ドアの換気装置の排気／給気の自動切り替えを行ってもよい。マンションなどの場合には、玄関ドアの外側のエンタルピと居室の窓の外のエンタルピとが大きく異なる場合があるからである。また、夜間における館内の熱気の排気を考慮して、昼間と夜間とで玄関ドアの換気装置の排気／給気の自動切り替えを行ってもよい。さらに、在宅時と留守中とで玄関ドアの換気装置の排気／給気の自動切り替えを行ってもよい。
【０１１８】
また、玄関ドアに、給気／排気の両方を同時に行う全熱交換器のような換気装置を組み込むことも可能である。この場合には、玄関ドアに２つのファンを内蔵させることになるが、給気および排気のそれぞれを他の換気扇などと連動させれば、玄関の空間や他の館内の空間の圧力をよりきめ細かく制御することができるようになる。
【０１１９】
（Ｃ）
玄関ドアに対して、換気機能や空調機能を組み入れるだけではなく、さらに帰宅する人や来客などを玄関の空間Ｓ７においてリラックスさせる目的で、帰宅時や来客時に作動する香り発生装置、マイナスイオン発生装置、高濃度酸素発生装置などを組み入れてもよい。また、玄関ドアのドアノブに接触型の生理量センサを組み込んで、玄関ドアに装着されたモニタにおいて簡易的な健康診断結果を表示させるようにすることも可能である。さらには、玄関ドアにＣＣＤカメラを内蔵させ、ＣＣＤカメラ、空気質を測定するセンサ、前述の生理量センサなどから取得した情報を元にして、その玄関の空間の状況に合った雰囲気を香り発生装置、マイナスイオン発生装置、高濃度酸素発生装置などによって生み出すように制御を行うことも可能である。
【０１２０】
（Ｄ）
上記第２実施形態では、図５に示すように、玄関ドア１２０に組み込まれている換気装置１２２がほぼ水平に戸外から館内への給気を行っているが、換気装置１２２による給気のための空気の吹き出し方向は、状況に合わせて適宜変えることが望ましい。
【０１２１】
例えば、玄関の空間Ｓ７が上階まで吹き抜けているような構造である場合には、換気装置１２２が斜め上向きに給気のための空気を館内に吹き出すことによって、吹き抜け上部の熱溜まりを解消させることが可能となる。このような玄関の空間Ｓ７の吹き抜け上部の熱溜まりを解消するサーキュレーション機能を換気装置１２２に持たせることで、玄関の吹き抜け上部近傍の通路を歩く住人や来客などにも心地よい環境を提供することができるようになる。
【０１２２】
【発明の効果】
請求項１に係る換気システムでは、建物の壁や天井などに特別な工事を施すことなく建物にドアや窓を取り付け、比較的小さな費用で建物内の換気状態を向上させることができる。また、第１換気装置に加えて第２換気装置を設け、且つそれらを連動させることで、居室などをより適切な換気環境とすることができる。
【０１２３】
請求項２に係る換気システムでは、建物内を冷房しているときに建物外がより涼しい状態であったり、建物内を暖房しているときに建物外がより暖かい状態であったりしたときに、換気により建物外の空気を建物内に取り込むようにして建物内の快適性を向上させることができる。
請求項３に係る換気システムでは、第１換気装置が作動したことによる悪影響が建物内の他の空間に発生することをドアや窓に内蔵された第２換気装置の作動によって打ち消すことが可能となる。
【０１２４】
請求項４に係る換気システムでは、第２換気装置とともに空気清浄装置を建物のドア又は窓に組み込んでいるため、より少ない換気量で建物内の空気質を向上させることができる。
請求項５に係る換気システムでは、ドア又は窓が開いたときに空気清浄装置による空気の清浄化を停止させているため、省エネルギー化が図られる。
【０１２５】
請求項６に係る換気システムでは、第２換気装置により外気を建物内に導入する際に、その外気が建物内に持ち込む湿気を除湿したり、その外気が建物内に持ち込む冷熱を暖房により緩和したりすることができる。
請求項７に係る換気システムでは、設置スペースが小さくなるだけではなく、連動制御装置が空気調和装置の温度センサなどの情報を利用することも可能になり、空調と換気とが効率よく為されるようになる。
【０１２６】
請求項８に係る換気システムでは、連動制御装置が第１換気装置と第２換気装置とを連動制御するため、建物内における圧力状態（静圧状態）を適正に誘導することができる。
請求項９に係る換気システムでは、ドア又は窓の開閉に基づき第１換気装置の制御を変えることで、建物内外の間の空気の流れを抑えことができ、建物内の空調負荷の増加を抑えたり、建物外の花粉などの粉塵の建物内への流入を防いだりすることが可能となる。
【０１２７】
請求項１０に係る換気システムでは、ある居室の汚れた空気が廊下などを介して他の居室に流れ込む可能性が小さくなり、ある居室の空気が調理やタバコの煙で汚れたときにも、その汚れた空気が他の部屋に拡散しにくくなる。
請求項１１に係る換気システムでは、居室に常に新鮮な外気を供給できる。また、玄関付近の空間を常に正圧に保持することが容易となり、玄関ドアを開けたときに建物内に花粉などの粉塵が侵入してくることを抑制できる。
【０１２８】
請求項１２に係る換気システムでは、玄関ドアが開いたときに、第１換気装置が居室への給気を増やし、玄関から建物内への花粉などを含む外気の流入を防ぐことができる。
請求項１３に係る換気システムでは、住宅などにおいて概ね必ず設置されている台所の換気扇と、ドア又は窓に組み込まれた第２換気装置とによって、建物内の換気を実現している。
【０１２９】
請求項１４に係る換気システムでは、例えば、ドア本体を開ける際に一方の側と反対側との圧力差により空気抵抗が大きいような場合に、換気経路を開の状態として空気抵抗が小さくなるようにすることができる。また、ドア本体を閉める際に急激にドア本体が閉まらないように、換気経路を閉の状態として空気抵抗が大きくなるようにすることができる。
【０１３０】
請求項１５に係る換気システムでは、例えば、建物内の空気が汚れている旨を表示させたり、建物外の温度を表示させたりすることで、換気装置の作動の必要性を認識させたり、出かける人に服装のチェックを行わせたりすることができる。
請求項１６に係る換気システムでは、ドア又は窓に内蔵される空気質センサの検知結果に基づき、表示装置に建物内外の空気質に関する情報が表示される。
【０１３１】
請求項１７に係る換気システムでは、内蔵あるいは接続されたコントローラなどがインターネット等の通信ネットワークを介して天気予報や地域空気質情報などの外部情報を入手することで、ドアや窓を開ける人間にとって有用な情報を表示装置に表示させることができる。
請求項１８に係る換気システムでは、外出する人が表示装置の表示を見て有用な情報を入手することが可能になる。
【０１３２】
請求項１９に係る換気システムでは、表示装置を見た人が各機器の稼働状況を認識することができるようになる。
請求項２０に係る換気システムでは、表示装置の操作入力機能を使うことで、外出前などにおいて機器を一括してＯＦＦ状態にすることなどが可能になる。
請求項２１に係る換気システムでは、内蔵あるいは接続されたコントローラなどが、インターネット等の通信ネットワークを介して天気予報や地域空気質情報などの外部情報を入手することで、換気をしたほうがよいのか換気を控えて空調負荷を抑えたほうがよいのかなどについて適切な判断をして換気装置を制御することができる。
【０１３３】
請求項２２に係る換気システムでは、第２換気装置がドア又は窓に対して着脱可能となっているため、ドア又は窓の寿命に較べて第２換気装置の寿命が短い場合にも、ドア又は窓を継続して使用し第２換気装置だけを新しいものに取り替えることができるようになる。
請求項２３に係る換気システムでは、ドア又は窓に内蔵される空気吹出装置がドア又は窓が開けられたときに所定方向に空気を吹き出すため、その吹き出される空気をエアーシャワーのように作用させて人の衣服などに着いている花粉などを払い落とすことが可能となる。
【０１３４】
請求項２４に係る換気システムでは、空気吹出装置が脱臭スプレーのように脱臭成分を含む空気を吹き出すため、建物内に入ろうとしている人に着いている臭い成分を除去することができるようになる。
請求項２５に係る換気システムでは、ドア又は窓から吸引ノズルが延びているため、建物内に入る人が自分の衣服に着いている花粉等を吸引ノズルによって吸引して取り除くことができるようになる。
【０１３５】
請求項２６に係る換気システムでは、接触検知センサの検知結果からドアや窓の開閉を推測して換気装置などの制御に使うことができるようになる。
請求項２７に係る換気システムでは、建物を留守にするときに人検知センサにより空き巣などを検出して、防犯を行うことができる。
【図面の簡単な説明】
【図１】第１実施形態の全館空調・換気システムの構成図。
【図２】第１実施形態の換気装置一体型玄関ドアの概略図。
【図３】第１実施形態の全館空調・換気システムの制御ブロック図。
【図４】第２実施形態の全館空調・換気システムの構成図。
【図５】第２実施形態の換気装置一体型玄関ドアの概略図。
【図６】第２実施形態の全館空調・換気システムの制御ブロック図。
【図７】第２実施形態の外気導入空調の条件を示すグラフ。
【図８】第３実施形態の全館空調・換気システムの構成図。
【図９】第４実施形態の全館空調・換気システムの構成図。
【図１０】第４実施形態の換気装置一体型窓の概略図。
【図１１】第５実施形態の換気装置一体型玄関ドアの概略図。
【図１２】第６実施形態の換気装置一体型玄関ドアの概略図。
【図１３】第７実施形態の換気装置一体型館内ドアの概略斜視図。
【図１４】第７実施形態の換気装置一体型館内ドアの概略斜視図。
【図１５】第８実施形態の全館空調・換気システムの制御ブロック図。
【符号の説明】
１１    空気調和装置（第１換気装置）
１２    給気扇（第１換気装置）
１３    空気調和装置（第１換気装置）
２０    玄関ドア（建物のドア）
２１    ドア本体
２２    換気装置（第２換気装置）
２３    表示液晶モニタ２３（表示装置）
３１    換気ファン（ファン）
３３    ダンパ（開閉部材）
４１    館内側ドアノブ（把手）
４２    タッチセンサ（接触検知センサ）
４３    埃・臭いセンサ（空気質センサ）
４５    戸外側ドアノブ（把手）
４６    タッチセンサ（接触検知センサ）
４７    埃・臭いセンサ（空気質センサ）
５０    全館空調・換気コントローラ（連動制御装置）
７０    館内ドア（建物のドア）
７２    換気装置（第２換気装置）
７３    透過型表示ディスプレイ（表示装置）
９０    インターネット（通信ネットワーク）
１１１    空気調和装置（第１換気装置）
１１１ａ    人検知センサ
１１２    換気扇（第１換気装置）
１１３    空気調和装置（第１換気装置）
１１３ａ    人検知センサ
１１４    換気扇（第１換気装置；換気扇）
１１５    換気扇（第１換気装置）
１１９    空気調和装置
１１９ａ    人検知センサ
１２０    玄関ドア（建物のドア）
１２２    換気装置（第２換気装置）
１２３    表示液晶モニタ（表示装置）
１３８    空気調和装置
１３９    空気清浄装置
１４３    埃・臭いセンサ（空気質センサ）
１４４    館内温度センサ（第１センサ）
１４７    埃・臭いセンサ（空気質センサ）
１４８    戸外温度センサ（第２センサ）
１５０    全館空調・換気コントローラ（連動制御装置）
１６０    窓
１６２    換気装置（第２換気装置）
３２０    玄関ドア（建物のドア）
３２１ｃ    噴射孔（空気吹出装置）
３２２    換気装置（第２換気装置；空気吹出装置）
３２３    透過型表示ディスプレイ（表示装置）
４２０    玄関ドア（建物のドア）
４２２    換気装置（第２換気装置）
４２２ａ    吸引ノズル
Ｒ    排気経路（換気経路）
Ｓ１    第１居室の空間
Ｓ２    第２居室の空間
Ｓ３    第３居室の空間
Ｓ４    台所の空間
Ｓ５    浴室等の空間
Ｓ６    廊下の空間
Ｓ７    玄関の空間
【図１】
2005003321.tif 000003
【図２】
2005003321.tif 000004
【図３】
2005003321.tif 000005
【図４】
2005003321.tif 000006
【図５】
2005003321.tif 000007
【図６】
2005003321.tif 000008
【図７】
2005003321.tif 000009
【図８】
2005003321.tif 000010
【図９】
2005003321.tif 000011
【図１０】
2005003321.tif 000012
【図１１】
2005003321.tif 000013
【図１２】
2005003321.tif 000014
【図１３】
2005003321.tif 000015
【図１４】
2005003321.tif 000016
【図１５】
2005003321.tif 000017